【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
表示画面におけるユーザの視線の位置に関する情報に基づいて、ユーザが所定のオブジェクトを見たかを判定する判定部と、
ユーザが所定のオブジェクトを見たと判定された場合に、音声認識処理を制御する音声認識制御部と、
を備える、情報処理装置。
【請求項２】
前記音声認識制御部は、見たと判定された前記所定のオブジェクトに基づいて、認識する命令を動的に変えるよう制御する、請求項１に記載の情報処理装置。
【請求項３】
前記音声認識制御部は、見たと判定された前記所定のオブジェクトに対応する命令を認識するよう制御する、請求項１、または２に記載の情報処理装置。
【請求項４】
前記音声認識制御部は、見たと判定された前記所定のオブジェクトを含む表示画面における領域内に含まれる、他のオブジェクトに対応する命令を認識するよう制御する、請求項１〜３のいずれか１項に記載の情報処理装置。
【請求項５】
前記音声認識制御部は、
所定のオブジェクトを見たと判定されたユーザに対応するユーザの視線の位置に関する情報に基づいて、音源分離を行うことが可能な音声入力デバイスに、所定のオブジェクトを見たと判定されたユーザの位置から発せられる音声を示す音声信号を取得させ、
前記音声入力デバイスにより取得された音声信号に対して音声認識を行わせる、請求項１〜４のいずれか１項に記載の情報処理装置。
【請求項６】
前記音声認識制御部は、
所定のオブジェクトを見たと判定されたユーザに対応するユーザの視線の位置に関する情報に基づくユーザの位置と、音源定位を行うことが可能な音声入力デバイスが測定した音源の位置との差分が、設定された閾値以下の場合、または、
前記ユーザの位置と前記音源の位置との差分が、前記閾値より小さい場合に、
前記音声入力デバイスにより取得された音声を示す音声信号に対して音声認識を行わせる、請求項１〜４のいずれか１項に記載の情報処理装置。
【請求項７】
前記判定部は、ユーザの視線の位置に関する情報が示す視線の位置が、所定のオブジェクトを含む表示画面における第１領域内に含まれる場合に、ユーザが所定のオブジェクトを見たと判定する、請求項１〜６のいずれか１項に記載の情報処理装置。
【請求項８】
前記判定部が、ユーザが所定のオブジェクトを見たと判定した場合、
前記判定部は、所定のオブジェクトを見たと判定されたユーザに対応するユーザの視線の位置に関する情報が示す視線の位置が、所定のオブジェクトを含む表示画面における第２領域内に含まれなくなったときに、前記ユーザが所定のオブジェクトを見ていないと判定し、
前記音声認識制御部は、前記ユーザが所定のオブジェクトを見ていないと判定されたときに、前記ユーザに対する音声認識を終了させる、請求項１〜７のいずれか１項に記載の情報処理装置。
【請求項９】
前記判定部が、ユーザが所定のオブジェクトを見たと判定した場合、
前記判定部は、
所定のオブジェクトを見たと判定されたユーザに対応するユーザの視線の位置に関する情報が示す視線の位置が、所定のオブジェクトを含む表示画面における第２領域内に含まれない状態が、設定された設定時間以上継続するとき、または、
所定のオブジェクトを見たと判定されたユーザに対応するユーザの視線の位置に関する情報が示す視線の位置が前記第２領域内に含まれない状態が、前記設定時間より長く継続するときに、
前記ユーザが所定のオブジェクトを見ていないと判定し、
前記音声認識制御部は、前記ユーザが所定のオブジェクトを見ていないと判定されたときに、前記ユーザに対する音声認識を終了させる、請求項１〜７のいずれか１項に記載の情報処理装置。
【請求項１０】
前記判定部は、所定のオブジェクトを見たと判定されたユーザに対応するユーザの視線の位置に関する情報が示す視線の位置の履歴に基づいて、前記設定時間を動的に設定する、請求項９に記載の情報処理装置。
【請求項１１】
前記判定部は、一のユーザが所定のオブジェクトを見たと判定した後に、前記一のユーザが所定のオブジェクトを見ていないと判定されていない場合には、他のユーザが所定のオブジェクトを見たとは判定しない、請求項１〜１０のいずれか１項に記載の情報処理装置。
【請求項１２】
前記判定部は、
前記表示画面において画像が表示される方向が撮像された撮像画像に基づいてユーザを特定し、
特定されたユーザに対応するユーザの視線の位置に関する情報に基づいて、ユーザが所定のオブジェクトを見たかを判定する、請求項１〜１１のいずれか１項に記載の情報処理装置。
【請求項１３】
前記所定のオブジェクトを表示画面に表示させる表示制御部をさらに備える、請求項１〜１２のいずれか１項に記載の情報処理装置。
【請求項１４】
前記表示制御部は、前記ユーザの視線の位置に関する情報が示す視線の位置によらず、表示画面における設定されている位置に、前記所定のオブジェクトを表示させる、請求項１３に記載の情報処理装置。
【請求項１５】
前記表示制御部は、前記ユーザの視線の位置に関する情報に基づいて、前記所定のオブジェクトを選択的に表示させる、請求項１３に記載の情報処理装置。
【請求項１６】
前記表示制御部は、前記所定のオブジェクトを表示させる場合には、設定されている表示方法を用いて前記所定のオブジェクトを表示させる、請求項１５に記載の情報処理装置。
【請求項１７】
前記表示制御部は、前記所定のオブジェクトを表示させる場合には、前記ユーザの視線の位置に関する情報が示す視線の位置に基づいて、段階的に前記所定のオブジェクトを表示させる、請求項１５、または１６に記載の情報処理装置。
【請求項１８】
前記表示制御部は、音声認識が行われている場合、前記所定のオブジェクトの表示態様を変える、請求項１３〜１７のいずれか１項に記載の情報処理装置。
【請求項１９】
表示画面におけるユーザの視線の位置に関する情報に基づいて、ユーザが所定のオブジェクトを見たかを判定するステップと、
ユーザが所定のオブジェクトを見たと判定された場合に、音声認識処理を制御するステップと、
を有する、情報処理装置により実行される情報処理方法。
【請求項２０】
表示画面におけるユーザの視線の位置に関する情報に基づいて、ユーザが所定のオブジェクトを見たかを判定するステップ、
ユーザが所定のオブジェクトを見たと判定された場合に、音声認識処理を制御するステップ、
をコンピュータに実行させるためのプログラム。
【手続補正２】
【補正対象書類名】明細書
【補正対象項目名】０１０６
【補正方法】変更
【補正の内容】
【０１０６】
また、本実施形態に係る情報処理装置は、例えば、オブジェクトと命令（または、命令群）とが対応付けられているテーブル（または、データベース）と、判定された他のオブジェクトとに基づいて、他のオブジェクトに対応する命令（または、命令群）を特定する。本実施形態に係る情報処理装置は、例えば、上記テーブル（または、データベース）と、判定された所定のオブジェクトとに基づいて、判定された所定のオブジェクトに対応する命令（または、命令群）をさらに特定してもよい。そして、本実施形態に係る情報処理装置は、取得された音声信号から、特定された命令を認識することによって、他のオブジェクトに対応する命令（または、さらに所定のオブジェクトに対応する命令）を認識する。
【手続補正３】
【補正対象書類名】明細書
【補正対象項目名】０１６６
【補正方法】変更
【補正の内容】
【０１６６】
また、情報処理装置１００は、例えば、スタンドアロンで処理を行う構成である場合には、通信インタフェース１６４を備えていなくてもよい。また、情報処理装置１００は、記録媒体１５６や、操作デバイス１６０、表示デバイス１６２を備えない構成をとることも可能である。